(57)【要約】【課題】嵌合部の軒樋内部への差し込みおよび挿入が行いやすい、施工性に優れた軒樋外曲がり継手を提供する。【解決手段】平面視略方形形状であり、断面略コ字状形状を有する継手本体２の両端から継手本体の外方に向かって、外周面４が継手本体の外周面より内側に位置し、継手本体との間に段差６が形成された嵌合部３が延設され、嵌合部の底壁部３ｂと後壁部３ｃとが交わるコーナー部ｃの外側端面１６に、継手本体に向かって斜め下方に切り欠かれた切欠部１７が形成されている。【選択図】図１
2008267065.tif 000002
【特許請求の範囲】
【請求項１】
平面視略方形形状であり、前壁部、底壁部および後壁部から形成され、断面略コ字状形状を有する継手本体の両端から継手本体の外方に向かって、前壁部、底壁部および後壁部から形成され、断面略コ字状形状を有し、外周面が継手本体の外周面より内側に位置し、継手本体との間に段差が形成された嵌合部が延設され、嵌合部が軒樋端部の内側に嵌合することにより、軒先の出隅部において直交配置される軒樋の端部同士を直角に接続し、継手本体の外周面と軒樋の外周面とを略面一に配置させる軒樋外曲がり継手において、嵌合部の底壁部と後壁部とが交わるコーナー部の外側端面に、継手本体に向かって斜め下方に切り欠かれた切欠部が形成されていることを特徴とする軒樋外曲がり継手。
【発明の詳細な説明】
【技術分野】
【０００１】
本発明は、軒先の出隅部において直交配置される軒樋の端部同士を直角に接続する軒樋外曲がり継手に関する。
【背景技術】
【０００２】
軒先に軒樋を取り付ける際に、軒先の出隅部において直交配置される軒樋の端部同士を直角に接続するものとして軒樋外曲がり継手が知られている。軒先の入隅部では軒樋の端部同士の直角接続のために軒樋内曲がり継手が用いられるが、これらの軒樋曲がり継手としては、平面視略Ｌ字状形状を有し、両端部に軒樋端部の嵌合部が形成されているものが一般的である。
【０００３】
このような軒樋曲がり継手の中で、軒樋との継ぎ目部分が目立たず、軒樋が継手によって接続されていることが外観上ほとんど視認されず、直角に曲がった軒樋であるかのような一体感が現出されるように工夫を凝らした軒樋曲がり継手が知られている（特許文献１）。
【０００４】
特許文献１に記載された軒樋曲がり継手では、平面視略Ｌ字状形状の継手本体の両端から嵌合部が延設され、嵌合部の外周面を軒樋の周壁（底壁、前壁および後壁）の厚み分または厚みより若干大きく継手本体の外周面より内側に配置させ、継手本体と嵌合部との間に段部が形成されている。
【０００５】
したがって、上記軒樋曲がり継手を用いて軒樋の端部同士を直角に接続する際に、嵌合部を軒樋端部の内側に嵌合させると、嵌合部の外周面が軒樋の周壁の厚み分または厚みより若干大きく継手本体の外周面より内側に位置しているため、継手本体の外周面と軒樋の外周面とを略面一に配置させることができ、軒樋曲がり継手と軒樋との継ぎ目部分が目立たず、軒樋が軒樋曲がり継手によって接続されていることが外観上ほとんど視認されず、直角に曲がった軒樋であるかのような一体感が現出される。
【０００６】
一方、特許文献１に記載された軒樋曲がり継手は、嵌合部を軒樋端部に相対向する位置に配置した後に、軒樋端部内に横方向にスライドさせて挿入し、軒樋端部の内側に嵌合させるものであり、嵌合部の前側壁の上端縁部に突設した係止突部を軒樋の前側壁の上端縁部に形成された係止溝内に挿入し、係止させているが、嵌合部の後側壁は軒樋の後側壁に重合させるだけであるため、嵌合強度が十分高いとはいえない。
【０００７】
そこで、軒樋曲がり継手の嵌合強度を高めるために、嵌合部が後側壁においても軒樋と係合するようにすると、嵌合部の後側壁上端を軒樋の後側壁上端に設けることのできる後耳部の下端に係合させることが考えられるが、この場合、軒樋の後側壁上端に設けられた後耳部の下端に斜め下方から嵌合部の後側壁上端を上方に向けて係合させ、嵌合部を軒樋の内部に差し込み、挿入することになり、嵌合部における底壁と後側壁とが交わるコーナー部の外側端面が、特許文献１に記載された軒樋曲がり継手のように直立面状であると、嵌合部の底壁と後壁部とが交わるコーナー部が軒樋の底壁内面に当たってしまい、嵌合部の軒樋内部への差し込みおよび挿入が行いにくくなる。たとえ、嵌合部が軒樋端部の内側に嵌合しやすいように、軒樋の前側壁を外方に撓ませ、前側壁と後側壁との上端部における間隔を広げても、嵌合部の底壁と後壁部とが交わるコーナー部が軒樋の底壁内面に当たることは避けられない。
【０００８】
軒樋曲がり継手としては、継手本体の入隅部側の曲がり交叉壁の上部を切欠した切欠部が形成されたものも知られているが（特許文献２）、特許文献２に記載された軒樋用曲がりは、軒樋嵌合部の内面と軒樋端部の外面とが接着剤で接着されるいわゆる外継手であって、特許文献１に記載された嵌合部を軒樋端部の内側に嵌合させる内継手ではないため、上記の通りの問題は、特許文献２に記載された軒樋用曲がりには認められず、また、軒樋嵌合部における底壁と後側壁とが交わるコーナー部の外側端面は直立面状であり、上記切欠部によって嵌合部の軒樋の内部への差し込みおよび挿入が行いやすくなるとは考えられない。切欠部は、幅の拡縮によって、軒樋の気温の上昇または下降にともなう伸縮により継手本体に加わる力を吸収し、軒樋用曲がりに亀裂や破損が生じるのを防止しているのである。
【特許文献１】特開２００５−１４６７４３号公報
【特許文献２】特開平８−２７７６１２号公報
【発明の開示】
【発明が解決しようとする課題】
【０００９】
本発明は、以上の通りの事情に鑑みてなされたものであり、嵌合部の軒樋内部への差し込みおよび挿入が行いやすい、施工性に優れた軒樋外曲がり継手を提供することを課題としている。
【課題を解決するための手段】
【００１０】
本発明の軒樋外曲がり継手は、上記の課題を解決するために、平面視略方形形状であり、前壁部、底壁部および後壁部から形成され、断面略コ字状形状を有する継手本体の両端から継手本体の外方に向かって、前壁部、底壁部および後壁部から形成され、断面略コ字状形状を有し、外周面が継手本体の外周面より内側に位置し、継手本体との間に段差が形成された嵌合部が延設され、嵌合部が軒樋端部の内側に嵌合することにより、軒先の出隅部において直交配置される軒樋の端部同士を直角に接続し、継手本体の外周面と軒樋の外周面とを略面一に配置させる軒樋外曲がり継手において、嵌合部の底壁部と後壁部とが交わるコーナー部の外側端面に、継手本体に向かって斜め下方に切り欠かれた切欠部が形成されていることを特徴としている。
【発明の効果】
【００１１】
本発明によれば、嵌合部の底壁部と後壁部とが交わるコーナー部の外側端面に、継手本体に向かって斜め下方に切り欠かれた切欠部が形成されているため、切欠部が形成されない直立面状の外側端面の場合に比べ、嵌合部を軒樋の内部へ差し込みおよび挿入するに際して、嵌合部の底壁部と後壁部とが交わるコーナー部が軒樋の底壁部内面に当たるのを遅らせることができ、その結果、嵌合部の軒樋の内部への差し込みおよび挿入が行いやすくなる。嵌合強度の向上のために、軒樋の後壁部上端に設けられた後耳部の下端に斜め下方から嵌合部の後壁部上端を上方に向けて係合させるようにしても、嵌合部の軒樋内部への差し込みおよび挿入が行いやすく、施工性が良好である。
【発明を実施するための最良の形態】
【００１２】
図１は、本発明の軒樋外曲がり継手の一実施形態を示した斜視図である。図２＜ａ＞＜ｂ＞は、それぞれ、図１に示した軒樋外曲がり継手の平面図、矢視正面図である。図３は、図２＜ａ＞図中の実線Ａ内の拡大図である。
【００１３】
図１および図２＜ａ＞＜ｂ＞に示したように、本実施形態の軒樋外曲がり継手１は、平面視略方形形状であり、前壁部２ａ、底壁部２ｂおよび後壁部２ｃから形成された断面略コ字状形状の継手本体２を備えている。継手本体２において、前壁部２ａは、平面視略Ｌ字状形状を有し、軒樋外曲がり継手１が接続する軒樋の前壁部の形状に一致するように、下端から上端にかけて外方に膨出するように湾曲している。前壁部２ａの平面視略Ｌ字状形状の上端縁部２ａ１は、軒樋の前壁部上端の前耳部の外面形状に一致する形状の外面２ａ２を有している。底壁部２ｂはフラットな形状を有し、前壁部２ａの下端から水平に延設され、後端からは後壁部２ｃが直角に立ち上がっている。後壁部２ｃは、コーナー面２ｃ１が略１/４円状に湾曲する断面略Ｌ字状形状を有し、高さは前壁部２ａより低くなっている。
【００１４】
また、軒樋外曲がり継手１では、継手本体２の上端縁部２ａ１に直交する両端から、継手本体２の外方に向かって嵌合部３が延設されている。嵌合部３は、継手本体２と同様に、前壁部３ａ、底壁部３ｂおよび後壁部３ｃから形成され、断面略コ字状形状を有している。
【００１５】
一方、前壁部３ａ、底壁部３ｂおよび後壁部３ｃの外面から形成される嵌合部３の外周面４は、継手本体２の前壁部２ａ、底壁部２ｂおよび後壁部２ｃの外面から形成される外周面５より内側に位置し、継手本体２と嵌合部３との間に段差６が形成されている。段差６は、軒樋外曲がり継手１が接続する軒樋の前壁部、底壁部および後壁部から形成される外周壁部の厚み分または厚みより若干大きい軒樋の外周壁部の略厚み分の寸法とされている。
【００１６】
嵌合部３において、前壁部３ａは、軒樋の前壁部の内面に対応して、継手本体２の前壁部２ａより軒樋の前壁部の厚み分または厚みより若干大きい、すなわち、段差６の寸法分内側に配置されるとともに、下端から上端にかけて外方に膨出するように湾曲している。上端部には、縁部に、軒樋の前壁部上端に設けられた前耳部が嵌め込まれる外方に開口する断面略コ字状形状の前耳部７が形成されるとともに、前耳部７の下部に、軒樋の前壁部上端部に設けられた内方に突出する突部と係合する断面略コ字状形状の係合凹部８が形成されている。前耳部７の上片部７ａの外側縁は、嵌合部３の長さ方向に平行ではなく、継手本体２側の一端から前耳部７の長さ方向の中程にかけて若干内側に傾斜し、中程から嵌合部３の外側端に向かって大きく内側に傾斜し、切欠部９が形成されている。切欠部９は、嵌合部３を軒樋端部に嵌合する際の軒樋の前耳部との接触面積を縮小し、軒樋の前耳部を前耳部７に嵌め込みやすくしている。
【００１７】
底壁部３ｂは、中央部にかけて若干下方に湾曲し、前壁部３ａの下端から横方向に延設されるとともに、軒樋の底壁部の厚み分または厚みより若干大きい、すなわち、段差６の寸法分上方に配置されている。後壁部３ｃは、底壁部３ｂの後端からほぼ直角に継手本体２の前壁部２ａの高さの略半分の高さまで立ち上がっている。また、後壁部３ｃは、継手本体２の後壁部２ｃより軒樋の後壁部の厚み分または厚みより若干大きい、すなわち、段差６の寸法分内側に配置されている。嵌合部３を軒樋端部に嵌合する際には、軒樋の後壁部上端に設けられた後耳部の下端に後壁部３ｃの上端を係合させる。安定した係合が可能なように後壁部３ｃには、上端から若干内方に向けて水平に係止片１０が延設されている。
【００１８】
このような嵌合部３を軒先の出隅部において直交配置される軒樋の端部に嵌合して軒樋外曲がり継手１は軒樋の端部同士を直角に接続するが、接続強度を高めるために、嵌合部３には、外周面４部に接着剤塗布用凹溝１１が二条並設されている。接着剤塗布用凹溝１１は、嵌合部３の前壁部３ａの係合凹部８のほぼ直下から底壁部３ｂを経て後壁部３ｃの略上端まで形成され、断面略Ｖ字状形状を有している。接着剤は、接着剤塗布用凹溝１１に沿って塗布される。
【００１９】
一方、軒樋の端部同士の直角接続の際に、嵌合部３は軒樋端部の内側に嵌合されるため、接着剤に余剰分が生じた場合には、余剰接着剤が嵌合部３から継手本体２側に漏出する恐れがある。余剰接着剤の漏出は施工外観を低下させるので、嵌合部３の外周面４部には、継手本体２寄りに接着剤逃がし用凹溝１２が形成されている。接着剤逃がし用凹溝１２は深さの浅い帯状形状を有し、接着剤塗布用凹溝１１と同様に、嵌合部３の前壁部３ａの係合凹部８のほぼ直下から底壁部３ｂを経て後壁部３ｃの略上端まで形成されている。したがって、生じた余剰接着剤は、特に接続強度をより高めるために多量に接着剤を塗布する場合に起こりやすいが、接着剤逃がし用凹溝１２で受け止めることができ、継手本体２側に漏出するのが防止される。より効果的に余剰接着剤の漏出を防止するために、本実施形態の軒樋外曲がり継手１では、二条の接着剤塗布用凹溝１１間に接着剤補助溜まり溝１３が嵌合部３の外周面４部に形成されている。接着剤補助溜まり溝１３は、接着剤塗布用凹溝１１と同様に断面略Ｖ字状形状を有し、前壁部３ａ、底壁部３ｂおよび後壁部３ｃに形成されている。一方、接着剤補助溜まり溝１３は、前壁部３ａおよび後壁部３ｃでは下端部までの高さに抑えている。接着剤補助溜まり溝１３によって接着剤塗布用凹溝１１から溢れ出た余剰接着剤を予備的に受け止めることができる。なお、接着剤補助溜まり溝１３は、接着剤逃がし用凹溝１２に接着剤を受け止める余裕があれば、接着剤塗布用溝として使用することも可能である。
【００２０】
そして、本実施形態の軒樋外曲がり継手１では、継手本体２の後壁部２ｃに厚みの薄い板状のリブ１４が外方に向けて突設されている。リブ１４は、嵌合部３の後壁部３ｃの上端と略同一の高さに位置している。図３に示したように、リブ１４の継手本体２の後壁部２ｃ側の側端縁１４ａは、嵌合部３の後壁部３ｃから軒樋１５の後壁部１５ａの厚みｔと等しいまたは若干大きい略厚み分離間して配置されるとともに、嵌合部３の後壁部３ｃにおける段差６の端縁にかかっている。さらに、リブ１４の継手本体２の後壁部２ｃ側の側端縁１４ａは、外方に向かって緩やかに湾曲してもいる。
【００２１】
このような板状のリブ１４は、また、二股に分かれた一対の返し部１４ｂを有している。一対の返し部１４ｂはリブ１４の一部を形成し、リブ１４と一体となっている。
【００２２】
さらに、本実施形態の軒樋外曲がり継手１では、図１および図２＜ｂ＞に示したように、嵌合部３の底壁部３ｂと後壁部３ｃとがほぼ直角に交わるコーナー部ｃの外側端面１６に、継手本体２に向かって斜め下方に切り欠かれた切欠部１７が形成されている。
【００２３】
以上の通りの本実施形態の軒樋外曲がり継手１を用いて軒先の出隅部において直交配置される軒樋１５の端部同士を直角に接続する際には、軒樋１５の後壁部１５ａの上端に設けられた後耳部の下端に斜め下方から嵌合部３の後壁部３ｃの上端、すなわち、係止片１０を上方に向けて係合させ、嵌合部３を軒樋１５の内部に差し込み、挿入し、前壁部３ａを下方に回動させながら、後壁部３ｃの外面を軒樋１５の後壁部１５ａの内面に重ね合わせ、次いで、底壁部３ｂの外面を軒樋１５の底壁部の内面に重ね合わせ、さらに、前壁部３ａの外面を軒樋１５の前壁部の内面に重ね合わせながら、係合凹部８に軒樋１５の前壁部上端部に設けられた突部を係合させ、最後に、前耳部７に軒樋１５の前壁部上端に設けられた前耳部を嵌め込み、嵌合部３を軒樋１５の端部の内側に嵌合させる。
【００２４】
軒樋外曲がり継手１では、上記の通り、嵌合部３の底壁部３ｂと後壁部３ｃとがほぼ直角に交わるコーナー部ｃの外側端面１６に、継手本体２に向かって斜め下方に切り欠かれた切欠部１７が形成されているため、切欠部１７が形成されない直立面状の外側端面１６の場合に比べ、嵌合部３を軒樋１５の内部へ差し込みおよび挿入するに際して、嵌合部３の底壁部３ｂと後壁部３ｃとが交わるコーナー部ｃが軒樋１５の底壁部内面に当たるのが遅れ、嵌合部３の軒樋１５の内部への差し込みおよび挿入が行いやすくなっている。嵌合強度の向上のために、軒樋１５の後壁部１５ａの上端に設けられた後耳部の下端に斜め下方から嵌合部３の後壁部３ｃの上端、すなわち、係止片１０を上方に向けて係合させるようにしても、嵌合部３の軒樋１５の内部への差し込みおよび挿入が行いやすく、軒先の出隅部において直交配置される軒樋１５の端部同士を直角に接続する施工性が良好である。
【００２５】
また、軒樋外曲がり継手１では、上記の通りのリブ１４が継手本体２の後壁部２ｃに外方に向けて突設されているため、リブ１４によって軒樋１５の後壁部１５ａの端部を軒樋外曲がり継手１側に誘い込むことができ、側端縁１４ａが外方に向かって緩やかに湾曲していることから、軒樋１５の後壁部１５ａの端部の誘い込みはスムーズに行われる。したがって、たとえ切断誤差にともない軒樋１５の端部の形状、寸法などにばらつきが生じても、軒樋外曲がり継手１の嵌合部３を軒樋１５の端部の内側に確実かつ容易に嵌合させることができる。軒先に配設された鼻隠し板より軒樋１５が外側に出ているような場合などでも確実かつ容易な嵌合が可能となる。このため、軒先の出隅部において直交配置される軒樋１５の端部同士を直角に接続する施工効率が向上する。
【００２６】
しかも、リブ１４は二股に分かれた一対の返し部１４ｂを有しているため、リブ１４によって軒樋外曲がり継手１側に誘い込んだ軒樋１５の後壁部１５ａの端部を返し部１４ｂにより嵌合部３の後壁部３ｃ側に押さえることができ、軒樋１５の前壁部の上端縁に設けられた前耳部を嵌合部３の前壁部３ａの前耳部７に嵌合させる際、軒樋１５の後壁部１５ａの端部がリブ１４から逃げるように外れるのが防止され、軒樋外曲がり継手１の嵌合部３を軒樋１５の端部により確実かつ容易に嵌合させることができる。接続作業をスムーズに行うことができる。
【００２７】
このようにして軒先の出隅部において直交配置される軒樋１５の端部同士を直角に接続した軒樋外曲がり継手１の継手本体２の外周面、すなわち、前壁部２ａ、底壁部２ｂおよび後壁部２ｃの外面から形成される外周面５は、上記の通り、軒樋１５の外周壁部の厚みと等しいまたは厚みより若干大きい軒樋１５の外周壁部の略厚み分の寸法を有する段差６によって嵌合部３の外周面４が継手本体２の外周面５より内側に配置されるため、軒樋１５の外周面と略面一に配置され、軒樋外曲がり継手１と軒樋１５との継ぎ目部分が目立たず、軒樋１５が軒樋外曲がり継手１により接続されていることが外観上ほとんど視認されず、直角に曲がった軒樋であるかのような一体感が現出される。
【００２８】
しかも、接着剤を併用することにより接続強度が高まり、また、余剰接着剤が生じたとしても、接着剤逃がし用凹溝１２によって余剰接着剤が受け止められ、継手本体２側に漏出することはなく、良好な仕上がり外観が得られる。
【００２９】
なお、本発明の軒樋外曲がり継手は、たとえば、合成樹脂の押出成形や、合成樹脂内に金属薄板をインサート成形した複合材料に切断、曲げ加工などを施し、一体的に形成することができる。
【図面の簡単な説明】
【００３０】
【図１】本発明の軒樋外曲がり継手の一実施形態を示した斜視図である。
【図２】＜ａ＞＜ｂ＞は、それぞれ、図１に示した軒樋外曲がり継手の平面図、矢視正面図である。
【図３】図２＜ａ＞図中の実線Ａ内の拡大図である。
【符号の説明】
【００３１】
１  軒樋外曲がり継手
２  継手本体
２ａ  前壁部
２ｂ  底壁部
２ｃ  後壁部
３  嵌合部
３ａ  前壁部
３ｂ  底壁部
３ｃ  後壁部
ｃ  コーナー部
４  外周面
５  外周面
６  段差
１５  軒樋
１６  外側端面
１７  切欠部
【図３】
2008267065.tif 000003
【図１】
2008267065.tif 000004
【図２】
2008267065.tif 000005